(57)【要約】【課題】ＩＣタグを応用した高周波加熱装置システムの構成では、使用者の好みに応じた仕上がり温度等に変更する操作に課題があった。【解決手段】無線により所定の情報を受信する通信手段３と、情報を記憶する記憶手段４と、通信手段３と記憶手段４を制御する制御手段５とを有するＩＣタグ２と、ＩＣタグ２と情報を送受信する情報送受信手段７と、操作部９と、情報送受信手段７を制御する機器制御手段１６とを有する高周波加熱装置６とを備え、ＩＣタグ２は使用者と一体的に設け、操作部９に制御指令のトリガをかける時に高周波加熱装置と情報を送受信する構成としたものである。この構成により、対応する高周波加熱装置６は、使用者が操作する毎に使用者の好みの仕上がり温度等を簡単に実現することができる。【選択図】図１
2006090628.tif 000002
【特許請求の範囲】
【請求項１】
無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段を制御する機器制御手段とを有する高周波加熱装置とを備え、前記ＩＣタグを使用者と一体的に設け、前記操作部に制御指令のトリガをかける時に前記高周波加熱装置と情報を送受信する構成とした高周波加熱装置システム。
【請求項２】
高周波加熱装置は、カレンダー機能部と、制御指令のトリガによりＩＣタグ内の情報を収集して記憶する機器記憶手段とを有し、ＩＣタグ内の記憶手段は制御履歴の情報を記憶するようにした請求項１に記載の高周波加熱装置システム。
【請求項３】
ＩＣタグの使用者の情報を機器制御手段に登録する登録手段を有する請求項１または２に記載の高周波加熱装置システム。
【請求項４】
高周波加熱装置は、サービス会社の情報提供サーバーと情報通信手段を介してネットワークで接続する請求項１〜３のいずれか１項に記載の高周波加熱装置システム。
【請求項５】
請求項１〜４のいずれか１項記載の高周波加熱装置システムの機能の少なくとも一部をコンピュータに実行させるためのプログラム。
【発明の詳細な説明】
【技術分野】
【０００１】
本発明は、ＩＣタグを利用した高周波加熱装置システムおよびそのプログラムに関する。
【背景技術】
【０００２】
従来、この種のＩＣタグを用いたシステムにおいてＩＣタグの情報を送信して制御を変更するシステムが提案されている（例えば、特許文献１参照）。
【０００３】
図５は前記特許文献１に記載された高周波加熱装置システムを示すものである。図に示すように、使用者の家１０１には、高周波加熱装置である電子レンジ１０２、冷蔵庫１０３、使用者がセンター１０５にＩＣタグ１０４のＩＤコードに対応する電子レンジの加熱条件、冷蔵条件等を問い合わせるためのホームサーバー１０８を備えている。
【０００４】
ＩＣタグ１０４は、食品に添付されＩＤコードが記憶されている。センター１０５は、食品の情報データベースサーバー１０６を備えている。食品の情報データベースサーバー１０６は食品加工工場１０７と繋がっている。食品加工工場１０７で生産される食品にはＩＣタグ１０４が添付されＩＤコードなどが書き込まれる。
【０００５】
ＩＣタグ１０４が添付された食品が使用者１０１へわたり、使用者が食品を加熱する場合、電子レンジ１０２にこのＩＤコードを読み取らせ、ホームサーバー１０８を介して情報データベースサーバー１０６に問い合わせると、当該食品の加熱条件を電子レンジに自動的にセットし、加熱が開始されるものである。この構成によって、使用者は、電子レンジ１０２のスタートボタンを押すだけで加工食品が最適な状態で仕上がるというものである。
【特許文献１】特開２００２−２２１７７号公報
【発明の開示】
【発明が解決しようとする課題】
【０００６】
しかしながら、前記従来の構成では、ＩＣタグ１０４を食品に添付するものであり、当該食品のＩＣタグ１０４に書き込まれる加熱条件は、食品加工工場１０７で条件設定されたものであり、最終の使用者にとっては仕上がり温度の好みに対して自由度がない課題があった。
【０００７】
また、ＩＣタグ１０４によって電子レンジ１０２に設定された加熱条件にしたがって加熱した場合、加工工場で当該使用者の相当する電子レンジで決定される条件設定と、最終使用者の相当する電子レンジでの仕上がり温度には差異が生じる。これは、最終使用者がその加工商品を加熱開始する食品の初期状態の温度に起因する。製品情報データベースに登録される食品の加熱条件は、ある規格化された温度帯での加熱条件であるからで、ＩＣタグ１０４を利用したとしても最終使用者での満足は得られにくい課題があった。
【０００８】
そこで、電子レンジには、仕上がり温度を検出する温度センサを設けることで解決することも可能であるが、それでも同じ食品でも使用者にとってはその仕上がり温度の好みにはばらつきがあり、使用者はその度に設定を変えなければならない課題があった。また、電子レンジでの使用者が、使用者の使用パターンによる最適な電子レンジの制御方法を提供できない課題もあった。
【０００９】
本発明は、前記従来の課題を解決するもので、使用者の好みの仕上がり温度等を簡単に調整でき、使用者の操作性の向上が図れる高周波加熱装置システムおよびそのプログラムを提供することを目的とする。
【課題を解決するための手段】
【００１０】
前記従来の課題を解決するために、本発明の高周波加熱装置システムおよびそのプログラムは、無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段を制御する機器制御手段とを有する高周波加熱装置とを備え、前記ＩＣタグを使用者と一体的に設け、前記操作部に制御指令のトリガをかける時に前記高周波加熱装置と情報を送受信する構成としたものである。
【００１１】
これにより、使用者が操作部に制御指令のトリガをかける時に高周波加熱装置への使用者の特定を行う情報を送受信することができるので、対応する高周波加熱装置は、使用者が操作する毎に使用者の好みの仕上がり温度等を簡単に調整でき、使用者の操作性の向上が図れるものである。
【発明の効果】
【００１２】
本発明の高周波加熱装置システムおよびそのプログラムは、使用者が操作する毎に使用者の好みの仕上がり温度等を簡単に調整でき、使用者の操作性の向上が図れるものである。
【発明を実施するための最良の形態】
【００１３】
第１の発明は、無線により所定の情報を通信する通信手段と、前記情報を記憶する記憶手段と、前記通信手段と記憶手段を制御する制御手段を有するＩＣタグと、前記ＩＣタグと情報を送受信する情報送受信手段と、操作部と、前記情報送受信手段を制御する機器制御手段とを有する高周波加熱装置とを備え、前記ＩＣタグを使用者と一体的に設け、前記操作部に制御指令のトリガをかける時に前記高周波加熱装置と情報を送受信する構成とした高周波加熱装置システムとすることにより、使用者が操作部に制御指令のトリガをかける時に高周波加熱装置への使用者の特定を行う情報を送受信することができるので、対応する高周波加熱装置は、使用者が操作する毎に使用者の好みの仕上がり温度等を簡単に調整でき、使用者の操作性の向上が図れるものである。
【００１４】
第２の発明は、特に、第１の発明において、高周波加熱装置は、カレンダー機能部と制御指令のトリガによりＩＣタグ内の情報を収集して記憶する機器記憶手段とを有し、ＩＣタグ内の記憶手段は制御履歴の情報を記憶するようにしたことにより、使用者の操作のパターンや習慣を間接的に把握できる。また、ＩＣタグ内の記憶手段に制御履歴を記憶することによって、ＩＣタグを有する別の高周波加熱装置システムでも同様の制御を実行することができる。
【００１５】
第３の発明は、特に、第１または第２の発明において、ＩＣタグの使用者の情報を機器制御手段に登録する登録手段を有することにより、高周波加熱装置を使用する使用者の情報を登録し、登録された使用者毎にその設定温度に自動的に調整することができる。
【００１６】
第４の発明は、特に、第１〜第３のいずれか１つの発明において、高周波加熱装置は、サービス会社の情報提供サーバーと情報通信手段を介してネットワークで接続することにより、高周波加熱装置を操作する毎に記憶された使用者の制御履歴の情報を外部の情報提供サーバーと通信するので、使用者にさらに便利で快適な高周波加熱装置の制御を実現することができる。
【００１７】
第５の発明は、特に、第１〜第４のいずれか１つの発明における高周波加熱装置システムの機能の少なくとも一部をコンピュータに実行させるためのプログラムとすることにより、プログラムであるので、電気・情報機器、コンピュータ、サーバー等のハードリソースを協働させて高周波加熱装置システムの少なくとも一部を容易に実現することができる。また、記録媒体に記録したり通信回線を用いてプログラムを配信したりすることで、プログラムの配布・更新やそのインストール作業が簡単にできる。
【００１８】
以下、本発明の実施の形態について、図面を参照しながら説明する。なお、本実施の形態によって本発明が限定されるものではない。
【００１９】
（実施の形態１）
図１は、本発明の実施の形態１における高周波加熱装置システムの全体構成を示している。
【００２０】
図に示すように、使用者１にＩＣタグ２を常に接触する形で一体的に設けている。ＩＣタグ２は、無線により所定の情報を通信する通信手段３と、前記情報を記憶する記憶手段４と、前記通信手段３と記憶手段４を制御する制御手段５とを有する。なお、ＩＣタグ２は、通信する無線の電力により電源を供給し特定の電源や電池を必要とはしないパッシブ型のＩＣタグである。
【００２１】
高周波加熱装置６は、使用者に接触されたＩＣタグ２と情報を送受信する情報通信手段７、食品の温度を検出する温度センサ８、高周波加熱装置６を操作する操作部９、高周波加熱装置の状態を表示する表示部１０、高周波発振させる電源回路１１、マグネトロン１２、これら情報通信手段７、表示部１０、電源回路１１を制御する機器制御手段１６で構成される。
【００２２】
ＩＣタグ２の記憶手段４内の情報は、使用者１が高周波加熱装置６の操作部９を操作し、制御指令のトリガをかけると、情報送受信手段７よりＩＣタグ２の通信手段３へ制御情報を乗せた搬送電波を送信する。ＩＣタグ２は通信手段３がこの搬送電波を受信し、この電波によって供給される電力で制御手段５が起動され、記憶手段４に記憶された使用者１の情報を搬送電波で反射して送信する。また、制御情報を新たにＩＣタグ２の記憶手段４に記憶する。
【００２３】
この一連の操作は、使用者１に一体的に設けたＩＣタグ２が操作部９を操作する毎に実行される。例えば、ある使用者が、ある食品を加熱する場合、温度センサ８で検知する通常の仕上がり温度より“弱め”とした時にはＩＣタグ２の記憶手段４には仕上がり温度“弱め“の情報が記憶される。”弱め“が好みの使用者は、次回の食品でもＩＣタグ内に記憶された加熱条件”弱め“により加熱されることになり、他の使用者が同じ食品を加熱しても当該使用者は”弱め“の加熱を実行されることになる。
【００２４】
また、使用者に設けられるＩＣタグ２は、リストバンドや、指輪、体内への埋めこみ等その形態も限定されないものである。
【００２５】
以上のように構成された高周波加熱装置システムにおいて、使用者に設けたＩＣタグ２は、機器に制御指令のトリガをかける度に、機器の制御情報をＩＣタグ２に送受信する構成とすることにより、使用者の好みの仕上がり温度等を簡単に反映することができる。
【００２６】
（実施の形態２）
図２は、本発明の実施の形態２における高周波加熱装置システムの全体構成を示すものである。実施の形態１と同一要素については同一符号を付して説明を省略する。
【００２７】
本実施の形態においては、高周波加熱装置６の機器制御手段１６にはカレンダー機能部１７を、高周波加熱装置６には制御指令のトリガによりＩＣタグ２内の情報を収集して記憶する機器記憶手段１８を設けたものである。
【００２８】
これにより、使用者は、操作部９の制御指令のトリガによりＩＣタグ２内の情報を、情報送受信手段７を介して収集し、機器記憶手段１８に記憶する。この使用者の使用履歴はカレンダー機能部１７による時間情報と使用者の操作のパターンとの情報を併せて生活リズムを間接的に把握することができる。
【００２９】
例えば、ある使用者がお年寄りで、夕方６時ごろにある特定の食品の加熱頻度が高い場合は、その時間帯に合わせて食品の加熱温度条件（高周波加熱装置の予熱設定等）の初期設定をしておけば、その利便性は向上する。また、ＩＣタグ２内の記憶手段４に制御履歴を記憶することによってＩＣタグ２を有する別の高周波加熱装置システムでも同様の制御を実行することができ、外出先や施設でもいつも使用者の好みの仕上がり温度を実現することも可能となる。
【００３０】
（実施の形態３）
図３は、本発明の実施の形態３における高周波加熱装置システムの全体構成を示すものである。実施の形態１、２と同一要素については同一符号を付して説明を省略する。
【００３１】
本実施の形態においては、ＩＣタグ２の使用者の情報を機器制御手段１６に登録する登録手段１９を有するものである。登録手段１９への登録方法としては、操作部９に登録ボタン（図示せず）を設けて、登録ボタン押下とともにＩＣタグ２の使用者に関する情報を登録する。操作部９には、使用者の個人情報（年齢、性別等）を入力してもよいし、別の書込み装置でＩＣタグ２に書き込んでもよい。
【００３２】
このように、記憶手段４に記憶された個人情報は、情報送受信手段７を介して使用者毎に機器記憶手段１８に登録されているので、使用者毎の仕上がり温度に自動的に調整することも可能となる。
【００３３】
（実施の形態４）
図４は、本発明の実施の形態４における高周波加熱装置システムの全体構成を示すものである。実施の形態１〜３と同一要素については同一符号を付して説明を省略する。
【００３４】
本実施の形態においては、高周波加熱装置６は、サービス会社２０の情報提供サーバー２１と情報通信手段２２を介して所定の手順によるネットワークで接続している。また、情報通信手段２２で収集した使用者の情報を蓄積する蓄積手段２３を有する。
【００３５】
これにより、操作部９で操作する毎に記憶された使用者の制御履歴の情報は、情報通信手段２２を介して外部サービス会社２０の情報提供サーバー２１の蓄積手段２３に記憶される。外部のサービス会社２０との情報の通信はインターネットを介して行い、認証や、情報の暗号化など所定の手順でサービス提供の確認が取れた後、使用者の制御履歴の情報を情報提供サーバー２１の蓄積手段２３に記憶される。サービス会社２０は、使用者の個人情報や、高周波加熱装置システムの制御履歴に応じて使用者に有益な制御方法を提供したり、加熱制御の実行プログラムを変更したりすることもできる。また、情報送受信手段７を介してＩＣタグ２の記憶手段４に情報提供サーバー２１からの高周波加熱装置６の制御実行プログラムを記憶することも可能であり、使用者にさらに便利で快適な加熱制御を実現することができる。
【００３６】
なお、各実施の形態１〜４で説明した各手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００３７】
本発明の高周波加熱装置システムおよびそのプログラムは、使用者が操作する毎に使用者の好みの仕上がり温度等を簡単に調整でき、使用者の操作性の向上が図れるものであるので、家庭用以外の業務用分野での応用展開も可能となる。
【図面の簡単な説明】
【００３８】
【図１】本発明の実施の形態１における高周波加熱装置システムの全体構成図
【図２】本発明の実施の形態２における高周波加熱装置システムの全体構成図
【図３】本発明の実施の形態３における高周波加熱装置システムの全体構成図
【図４】本発明の実施の形態４における高周波加熱装置システムの全体構成図
【図５】従来の高周波加熱装置システムの構成図
【符号の説明】
【００３９】
１  使用者
２  ＩＣタグ
３  通信手段
４  記憶手段
５  制御手段
６  高周波加熱装置
７  情報送受信手段
９  操作部
１６  機器制御手段
１７  カレンダー機能部
１８  機器記憶手段
１９  登録手段
２０  サービス会社
２１  情報提供サーバー
２２  情報通信手段
【図１】
2006090628.tif 000003
【図２】
2006090628.tif 000004
【図３】
2006090628.tif 000005
【図４】
2006090628.tif 000006
【図５】
2006090628.tif 000007